(57)【要約】【課題】移動体通信等の無線機に使用されるアンテナ装置に関して、小型で高利得なアンテナ装置を具現化することを目的とする。【解決手段】基体１の一方主面に主としてグランド導体３が形成され、他方主面に形成された放射導体２のいずれかの端部と給電用導体４の端部の間に第１のギャップ５が形成されていることを特徴とするアンテナ装置であり、放射導体２とグランド導体３を短絡するための導体を付加する必要がないため、給電導体上を流れる電流ベクトルと逆相となる短絡導体上の電流が発生しないため、利得劣化が生じることがなく高いアンテナ利得を実現することが可能となる。【選択図】　図１
2004080736.tif 000002
【特許請求の範囲】
【請求項１】
基体の一方主面に主としてグランド導体が形成され、他方主面に形成された放射導体のいずれかの端部と給電用導体の端部の間に第１のギャップを形成した構成とするアンテナ装置。
【請求項２】
放射導体がいずれか１つ以上の基体の端面に延長される形で形成され、放射導体の端部とグランド導体の端部の間に第２のギャップを形成した構成とする請求項１に記載のアンテナ装置。
【請求項３】
放射導体の電気長が概ねｎ×λ／２（ｎは整数）である構成とした請求項１に記載のアンテナ装置。
【請求項４】
給電用導体が直方体形状を有する基体の長辺端面上の任意位置に配置された構成とした請求項１に記載のアンテナ装置。
【請求項５】
給電用導体が直方体形状を有する基体の長辺端面上であるとともに、電気長が概ねλ／２である放射導体の長手方向の端部近傍に配置された構成とした請求項１に記載のアンテナ装置。
【請求項６】
給電用導体が直方体形状を有する基体の長辺端面上であるとともに、電気長が概ねｎ×λ／２（ｎは２以上の整数）である放射導体の長手方向の端部近傍又は放射導体の長手方向の端部より概ねｎ×λ／２（ｎは１以上の整数）の位置近傍に配置された構成とした請求項１に記載のアンテナ装置。
【請求項７】
第１のギャップを基体の上面に形成した構成とした請求項１に記載のアンテナ装置。
【請求項８】
第１のギャップを基体の端面に形成した構成とした請求項１に記載のアンテナ装置。
【請求項９】
放射導体の端部以外の部分の幅を一部狭くした構成とした請求項１に記載のアンテナ装置。
【請求項１０】
放射導体の端部より電気長で略λ／８までの幅をそれ以外の部分の幅と比較して広くした構成とした請求項９に記載のアンテナ装置。
【請求項１１】
放射導体をメアンダ形状に構成した請求項１に記載のアンテナ装置。
【請求項１２】
放射導体が形成された基体の主面の形状を凸形状とした請求項１に記載のアンテナ装置。
【請求項１３】
グランド導体が形成された基体の主面の形状を凸形状とした請求項１に記載のアンテナ装置。
【請求項１４】
放射導体が形成された基体の主面と対向する他方主面の形状を凹形状とし、上面のほぼ全面にグランド導体が形成された高周波基板に、凹形状よりなる基体の他方主面を実装させた時に、高周波基板に接する基体の他方主面にグランド導体が形成され、それ以外の基体の他方主面の領域にはグランド導体が形成されていない構成とした請求項１に記載のアンテナ装置。
【請求項１５】
放射導体の端部より電気長でλ／８までの領域における放射導体とグランド導体の間の特性インピーダンスをそれ以外の領域の特性インピーダンスよりも小さくした請求項１２から請求項１４に記載のアンテナ装置。
【発明の詳細な説明】
【０００１】
【発明の属する技術分野】
本発明は主として移動体通信等に使用されるアンテナ装置に関するものである。
【０００２】
【従来の技術】
従来のアンテナ装置を図１３（ａ），（ｂ）に示す。図１３（ａ），（ｂ）において長さが略λ／４の電気長である放射導体１０２と、この放射導体１０２と略平行に配置されたグランド導体１０１とが具備され、放射導体１０２の一つのエッジ部とグランド導体１０１とを短絡導体１０４で接続してなる平面アンテナにおいて、放射導体１０２が有する複数の端辺のうち短絡導体１０４を接続するエッジ部に対向する端辺１０７の近傍に、給電部１０３を有する給電用導体１０６をグランド導体１０１と略平行に配置して、放射導体１０２に給電用導体１０６からギャップ１０５を介して容量的結合により給電することを特徴としている。
【０００３】
この従来のアンテナ装置は一端を短絡した略λ／４の電気長を有する放射導体１０２に高周波信号をギャップ１０５を介してカップリング給電する構成となっている。そして、アンテナのインピーダンスの調整は、ギャップ１０５の幅を調整して行っている。
【０００４】
なお、この出願の発明に関する先行技術文献情報としては、例えば特許文献１が知られている。
【０００５】
【特許文献１】
特開平０４−１２０９０２号公報
【０００６】
【発明が解決しようとする課題】
しかしながら上記従来のアンテナ装置の構成では、放射導体１０２の一端をグランド導体１０１に接続する短絡導体１０４が必要となり、給電用導体１０６に流れる電流ベクトルと逆向きの電流ベクトルが短絡導体１０４に発生する。アンテナから放射される電界ベクトルは、アンテナを構成する導体上に発生する各電流ベクトルと平行な向きに電流ベクトルの大きさに比例して発生する。このため、図１３に示したアンテナ装置においては、給電用導体１０６と短絡導体１０４上に発生する電流ベクトルが逆方向であるため発生する電界ベクトルが相殺され、アンテナ放射特性の劣化が生じてしまう。
【０００７】
本発明は小型で高利得を実現できるアンテナ装置を提供することを目的としている。
【０００８】
【課題を解決するための手段】
これらの課題を克服するために本発明は、基体の一方主面に主としてグランド導体が形成され、他方主面に形成された略ｎ×λ／２（ｎは整数）放射導体のいずれかの端部と給電用導体の端部の間にギャップを形成した構成とするアンテナ装置であり、従来のアンテナ装置のように短絡導体を付加する必要がないため、給電導体上を流れる電流ベクトルと逆相となる短絡導体上の電流が発生せず、アンテナ放射特性が低下することがない。
【０００９】
【発明の実施の形態】
本発明の請求項１に記載の発明は、基体の一方主面に主としてグランド導体が形成され、他方主面に形成された放射導体のいずれかの端部と給電用導体の端部の間に第１のギャップを形成した構成とするアンテナ装置であり、アンテナ装置に短絡導体を付加する必要がないため、給電導体上を流れる電流ベクトルと逆相となる短絡導体上の電流が発生しないため、利得劣化が生じることがなく高いアンテナ利得を実現することが可能となる。
【００１０】
本発明の請求項２に記載の発明は、放射導体がいずれか１つ以上の基体端面に延長される形で形成され、放射導体の端部とグランド導体の端部の間に第２のギャップを形成した構成とする請求項１に記載のアンテナ装置であり、放射導体を他方主面のみに形成するのではなく１つ以上の基体の端面に延長することにより同サイズでありながら放射導体の電気長を伸ばすことが可能となり、グランド導体と放射導体の端部の間に第２のギャップが形成されることで、最も電界の高い放射導体の端部に大きな容量が付加されるため、共振周波数を低くすることが可能となる。つまり、所望の共振周波数を小型サイズにて実現できるアンテナ装置を提供することができる。
【００１１】
本発明の請求項３に記載の発明は、放射導体の電気長が概ねｎ×λ／２（ｎは整数）である構成とした請求項１に記載のアンテナ装置であり、電気長を選択することにより短絡導体無しの状態にてアンテナ装置が共振条件を満足するため、高いアンテナ利得を実現できる。
【００１２】
本発明の請求項４に記載の発明は、給電用導体が直方体形状を有する基体の長辺端面上の任意位置に配置された構成とした請求項１に記載のアンテナ装置であり、アンテナ装置のインピーダンス調整を放射導体に近接する給電用導体の端部形状を変更することにより第１のギャップの幅を可変して行い、また、アンテナ装置の共振周波数を放射導体の長手方向の端部を削ることにより行うことができるため、アンテナ装置の共振周波数とインピーダンス整合の調整を別個独立に行うことが可能となる。
【００１３】
本発明の請求項５に記載の発明は、給電用導体が直方体形状を有する基体の長辺端面上であるとともに、電気長が概ねλ／２である放射導体の長手方向の端部近傍に配置された構成とした請求項１に記載のアンテナ装置であり、放射導体の長手方向の端部が最も電位が高くなるため、その部位近傍に給電用導体を第１のギャップを介して配置することにより放射導体と給電用導体の電界結合を高く維持することが可能となるため、第１のギャップ形状を変化させたときのインピーダンス変化の感度を高くすることができるため、アンテナ装置のインピーダンス整合の対応可能範囲を広げることが可能となるとともに、第１のギャップ幅を著しく狭くせずとも所望の結合容量を得ることができることから、特殊な工法を用いず安価に製造可能なアンテナ装置を実現できる。
【００１４】
本発明の請求項６に記載の発明は、給電用導体が直方体形状を有する基体の長辺端面上であるとともに、電気長が概ねｎ×λ／２（ｎは２以上の整数）である放射導体の長手方向の端部近傍、又は、放射導体の長手方向の端部より概ねｎ×λ／２（ｎは１以上の整数）の位置近傍に配置された構成とした請求項１に記載のアンテナ装置であり、電気長が概ねｎ×λ／２（ｎは２以上の整数）である放射導体上には共振時において電圧と電流の定在波が発生し、電位が最大となる位置は放射導体の長手方向の端部または長手方向の端部から電気長で概ねλ／２であるため、この部位近傍に給電用導体を第１のギャップを介して配置することにより放射導体と給電用導体の電界結合を高く維持することが可能となるため、第１のギャップ形状を変化させたときのインピーダンス変化の感度を高くすることができるため、アンテナ装置のインピーダンス整合の対応可能範囲を広げることが可能となる。
【００１５】
本発明の請求項７に記載の発明は、第１のギャップを基体の上面に形成した構成とした請求項１に記載のアンテナ装置であり、端面にギャップが形成された場合、ギャップに必要となるスペースを確保することによりアンテナ装置の低背化を図ることができないが、ギャップの位置を上面に形成することにより、アンテナ高を律束する条件がなくなるため、低背化を実現することが可能となる。
【００１６】
本発明の請求項８に記載の発明は、第１のギャップを基体の端面に形成した構成とした請求項１に記載のアンテナ装置であり、基体の上面にギャップを形成した場合、ギャップで必要となるスペースにより放射導体サイズが減縮されるため、放射利得の減少を引き起こす恐れがあるが、基体の端面にギャップを形成することにより放射導体が減縮されることもないため、高利得なアンテナ装置を実現することが可能となる。
【００１７】
本発明の請求項９に記載の発明は、放射導体の端部以外の部分の幅を一部狭くした構成とした請求項１に記載のアンテナ装置であり、このアンテナ装置をマイクロストリップラインの一部であると考えた場合に、マイクロストリップラインの端部以外の一部の幅を狭くすると、その部分でマイクロストリップラインの特性インピーダンスを変化させることができ、結果的にアンテナ装置の放射導体の電気長が長くなったのと同様の効果が得ることができるため、アンテナ装置の共振周波数を下げることで、小型なアンテナ装置を実現することが可能となる。
【００１８】
本発明の請求項１０に記載の発明は、放射導体の端部より電気長で略λ／８までの幅をそれ以外の部分の幅と比較して広くした構成とした請求項９に記載のアンテナ装置であり、このような寸法により放射導体の幅を変化させることが最も共振周波数を下げる上で効果的であるため、小型なアンテナ装置を具現化することが可能となる。
【００１９】
本発明の請求項１１に記載の発明は、放射導体をメアンダ形状に構成した請求項１に記載のアンテナ装置であり、放射導体の電気長を伸ばすことが可能となるため、小型なアンテナ装置を提供することができる。
【００２０】
本発明の請求項１２に記載の発明は、請求項１に記載の発明において、放射導体が形成された基体の主面の形状を凸形状としたアンテナ装置であり、放射導体の端部における放射導体とグランド導体の距離が放射導体の中央部の放射導体とグランド導体の距離よりも短いため、放射導体の端部周辺の特性インピーダンスが中央周辺の特性インピーダンスに比べ小さいため、放射導体を小型化することが可能となる。これは、一端が短絡されたλ／４共振器において、開放端側のインピーダンスを短絡端側のインピーダンスよりも小さくすることで、共振器長を短くすることができるＳＩＲ（Ｓｔｅｐｐｅｄ　Ｉｍｐｅｄａｎｃｅ　Ｒｅｓｏｎａｔｏｒ）共振器の技術をアンテナに適用させたものである。
【００２１】
本発明の請求項１３に記載の発明は、請求項１に記載の発明において、グランド導体が形成された基体の主面の形状を凸形状としたアンテナ装置であり、放射導体の端部における放射導体とグランド導体の距離が放射導体の中央部の放射導体とグランド導体の距離よりも短いため、放射導体の端部周辺の特性インピーダンスが中央周辺の特性インピーダンスに比べ小さいため、放射導体を小型化することが可能となる。
【００２２】
本発明の請求項１４に記載の発明は、請求項１に記載の発明において、放射導体が形成された基体の主面と対向する他方主面の形状を凹形状とし、上面のほぼ全面にグランド導体が形成された高周波基板に、凹形状よりなる基体の他方主面を実装させた時に高周波基板に接する基体の他方主面にグランド導体が形成され、それ以外の基体の他方主面の領域にはグランド導体が形成されていない構成としたアンテナ装置であり、放射導体と高周波基板上面に形成されたグランド導体の間において、放射導体の中央部領域に空気層が形成されるため、放射導体の中央部領域の特性インピーダンスがそれ以外の領域の特性インピーダンスよりも大きくなり、放射導体を小型化することができる。また、空気層が形成される高周波基板上面に高周波回路部品を実装することもでき、高周波回路部品の実装スペースを拡張することが可能となる。
【００２３】
本発明の請求項１５に記載の発明は、請求項１２から請求項１４のいずれかに記載の発明であり、放射導体の端部より電気長でλ／８までの領域における放射導体とグランド導体の間の特性インピーダンスをそれ以外の領域の特性インピーダンスよりも小さくしたアンテナ装置であり、λ／４ＳＩＲ共振器において、開放端よりλ／８の点で特性インピーダンスを変更した時が最も共振器を小型化できることより、その技術をアンテナに適用することで放射導体の小型化を図ったものである。
【００２４】
（実施の形態１）
本発明の実施の形態１について、図１（ａ）を参照して説明する。
【００２５】
基体１は例えばＢｉ−Ｎｂ−Ｏ，Ｂｉ−Ｃａ−Ｎｂ−Ｏ，Ｂａ−Ｎｂ−Ｔｉ−Ｏ，Ｂｉ−Ｃａ−Ｚｎ−Ｎｂ−Ｏ，Ａｌ−Ｍｇ−Ｓｍ−Ｏ，２ＭｇＯ・ＳｉＯ２等のセラミックスまたは樹脂等の誘電体もしくは磁性体もしくは誘電体と磁性体の混合体からなる直方体形状である。基体１の上面には、ストリップライン状の電気長が略λ／２の放射導体２（例えば銀ペーストをセラミックと同時焼成することにより形成）が上面全体に形成され、基体１の裏面にはグランド導体３が形成されている。給電用導体４は、直方体形状を有する基体１の長辺端面上であるとともに、電気長が概ねλ／２である放射導体２の長手方向端部近傍に第１のギャップ５を介して配置されている。グランド導体３は基体１の裏面のほぼ前面に形成し、給電用導体４と短絡しないように一定の間隔を離して配置されている。
【００２６】
本発明によれば、ストリップライン状の電気長が略λ／２の放射導体２を使用することでグランド導体３と放射導体２を短絡する構成を必要としないアンテナ装置の構成としている。このため、放射導体２上を流れる電流ベクトルと逆相となる短絡導体上の電流が発生しないため、電界ベクトルの低下が生じることがなく高いアンテナの放射特性を得ることが可能となる。
【００２７】
さらに、図１３に示した従来のアンテナ装置では、共振周波数の調整は放射導体１０４のギャップ１０５に接した端部を切除することにより行うが、この場合、ギャップ１０５の間隔も同時に広がってしまうため、アンテナのインピーダンスも大きく変化してしまうため、共振周波数の調整のみを独立別個に行うことができない。
【００２８】
しかし、本発明によれば、共振周波数とインピーダンスの調整を別個独立に行うことが可能である。以下に、アンテナ装置の共振周波数とインピーダンスの調整法について説明する。共振周波数の調整に関しては、放射導体２の端部Ａを削ることにより行うことが可能である。図１（ｂ）に放射導体２の端部Ａを削ったときの共振周波数の変化を示す。放射導体２の端部Ａを削る前の第１の共振周波数が１１であり、端部Ａを削るに従い共振周波数が上がり、最終的には第２の共振周波数１２へ変化していく様子を示している。インピーダンスの調整に関しては、給電用導体４の端部Ｂを削り放射導体２と給電用導体４のギャップ５の間隔を広げることにより行う。
【００２９】
図１（ｃ）に給電用導体４の端部Ｂを削ったときのアンテナ装置のインピーダンス特性変化を第１のインピーダンス特性１３及び第２のインピーダンス特性１４に示す。共振周波数はほぼ一定のままでアンテナ装置のインピーダンス整合を行うことが可能である。つまり、共振周波数調整とインピーダンス整合を別個独立に行うことが可能である。
【００３０】
尚、本実施の形態１において放射導体２を基体１の上面全体に形成したが、上面一部に形成してもよいことは言うまでもない。また、基体１の形状は直方体形状以外の台形形状、楕円柱形状等により具現化してもよい。
【００３１】
（実施の形態２）
本発明の実施の形態２について、図２を参照して説明する。この実施の形態２は、実施の形態１に対し、給電用導体４を直方体形状を有する基体１の短辺端面上の電気長が概ねｎ×λ／２である放射導体２の長手方向の端部近傍に第１のギャップ５を介して配置され、放射導体２の長辺端面の任意位置に任意の幅、長さを有するスリット１５を形成した構成となっている。
【００３２】
放射導体２において最も電界の強さが大きくなる放射導体２の長手方向の端部近傍に給電用導体４を配置することにより、放射導体２と給電用導体４の電界結合を高く維持することが可能となるため、第１のギャップ形状を変化させた時のインピーダンス変化の感度を高くすることができるため、アンテナ装置のインピーダンス整合の対応可能範囲を広げることが可能となる。
【００３３】
放射導体２の任意端部にスリット１５を形成することにより、放射導体２の周囲長を増すことができ、共振周波数を下げることが可能となるため、アンテナ装置を小さくすることができる。
【００３４】
アンテナ装置の共振周波数の調整に関しては、端部Ａを切除することにより実施し、アンテナ装置のインピーダンス整合に関しては端部Ｂを切除することにより行うことにより、それぞれの特性を別個独立に制御可能なアンテナ装置を実現することが可能となる。
【００３５】
尚、給電用導体４の形状は、その途中で線路幅を変化させることにより、線路のインピーダンスを変化させ、インピーダンスの調整範囲を広げることが可能な形状としてもよいことはいうまでもない。
【００３６】
（実施の形態３）
本発明の実施の形態３について、図３を参照して説明する。この実施の形態３は、実施の形態１に対し、放射導体２の端部を基体１の端面まで延長し、グランド導体３と放射導体２の端部により第２のギャップ６および第３のギャップ７を形成した構成となっている。本実施の形態３は、放射導体２を他方主面のみに形成するのではなく１つ以上の基体１の端面に延長することにより、同サイズでありながら放射導体２の電気長を伸ばすことが可能となるとともに、グランド導体３と放射導体２の端部の間に第２のギャップ６および第３のギャップ７が形成されることにより、最も電界の高い放射導体２の端部に大きな容量が付加された形となり、共振周波数を低くすることが可能となる。つまり、所望の共振周波数を小型サイズにて実現できるアンテナ装置を提供することができる。
【００３７】
（実施の形態４）
本発明の実施の形態４について、図４を参照して説明する。この実施の形態４は、実施の形態３に対し、給電用導体４を基体１の端面より基体１の上面まで伸張した形となっており、それに伴い第１のギャップ５も基体１の上面に形成された構成となっている。第１のギャップ５が上面に配置されていることによりインピーダンス整合をとる作業に優れているとともに、もしも端面に第１のギャップ５が形成された場合、ギャップに必要となるスペースを確保することによりアンテナ装置の低背化を図ることができないが、第１のギャップ５の位置を上面に形成することにより、アンテナ高の律束する条件がなくなるため、低背化を実現することが可能となる。
【００３８】
（実施の形態５）
本発明の実施の形態５について、図５を参照して説明する。この実施の形態５は、実施の形態３に対し、給電用導体４と放射導体２の結合容量を増やすために結合用導体８を給電用導体４が形成されている端面上に配設するとともに、給電用導体４の端部近傍の放射導体２の端部のみを基体１の端面下部まで延長した構成となっている。結合用導体８が付加されたことにより、給電用導体４と放射導体２の容量結合の調整範囲を広げることができるため、機器によりアンテナ装置の設備環境が変化したときに柔軟に対応できる。
【００３９】
（実施の形態６）
本発明の実施の形態６について、図６を参照して説明する。この実施の形態６は、実施の形態３に対し、放射導体２への給電をインターディジタル構造導体９を介して行うとともに、インターディジタル構造導体９の端部近傍にない放射導体２の端部のみを基体１の端面下部まで延長した構成となっている。給電用導体４と放射導体２の容量結合の大きさは給電用導体４の先端に設けられたインターディジタル構造導体９を構成する各櫛を削ることにより、容易にアンテナ装置のインピーダンス調整を行うことができる。
【００４０】
（実施の形態７）
本発明の実施の形態７について、図７を参照して説明する。この実施の形態７は、実施の形態３に対し、放射導体２の端面に延長された部分が、１つの端面のみでなく２つの端面にまたがる形で基体１の対角の位置に形成された構成となっている。このような構成を取ることにより、放射導体２の電気長を伸ばすことが可能となり、結果としてアンテナ装置の小型化を実現することが可能となる。
【００４１】
（実施の形態８）
本発明の実施の形態８について、図８を参照して説明する。この実施の形態８は、実施の形態３に対し、放射導体２の端部より電気長でλ／８の領域以外の幅を狭くした構成となっている。本実施の形態８のアンテナ装置をマイクロストリップラインの一部であると考えた場合に、本実施の形態８のアンテナ装置がＳＩＲ（ｓｔｅｐｐｅｄ　ｉｍｐｅｄａｎｃｅ　ｒｅｓｏｎａｔｏｒ）構成のマイクロストリップラインと等価であるといえる。
【００４２】
ある周波数にて共振している電気長でλ／２のＳＩＲ構成マイクロストリップラインを最も短く設計するためには、その両端部よりλ／８の領域を低い特性インピーダンスにし、それ以外の領域を高い特性インピーダンスにより設計してやればよいため、本実施の形態８のアンテナ装置においても、放射導体２の両端部よりλ／８の領域以外を他の領域に比べて放射導体２の幅を狭くして特性インピーダンスを高くすることで、電気長を等価的に長くすることができるため、結果的に小型なアンテナ装置を実現することが可能となる。
【００４３】
（実施の形態９）
本発明の実施の形態９について、図９を参照して説明する。この実施の形態９は、実施の形態３に対し、基体１の端面に延長される放射導体２の形状をメアンダ形状導体１０にて構成したものである。このようなアンテナ構成にすることにより放射導体２の電気長を長くすることが可能となり、結果的に小型なアンテナ装置を具現化することが可能となる。
【００４４】
（実施の形態１０）
本発明の実施の形態１０について、図１０を参照して説明する。図１０のアンテナ装置は、上面が凸形状の基体１の上面に放射導体２が形成されており、基体１の下面にグランド導体３が形成されており、放射導体２の端部より電気長でλ／８の位置で放射導体２とグランド導体３の間隔が広くなる構造となっている。
また、放射導体２の長手方向の電気長はλ／２となるように設計されている。
【００４５】
このようなアンテナ構造とすることにより、放射導体２の端部からλ／８の領域の放射導体２とグランド導体３の間の特性インピーダンスが、それ以外の領域の特性インピーダンスよりも小さくなり、放射導体２の長手方向の長さを短くすることが可能となる。これは、λ／４ＳＩＲ共振器において、開放端よりλ／８の点で特性インピーダンスを変更した時が最も共振器を小型化できることにより、この技術をアンテナに適用することで、放射導体２の小型化を図ったものである。
【００４６】
（実施の形態１１）
本発明の実施の形態１１について、図１１（ａ），（ｂ）を参照して説明する。図１１（ａ）のアンテナ装置は、実施の形態１０のアンテナ装置に対して、基体１の下面側が凸形状となったものであり、放射導体２の長手方向に対して端部より電気長でλ／８までの領域の放射導体２とグランド導体３の間隔はそれ以外の領域における間隔よりも短いため、端部より電気長でλ／８までの領域の放射導体２とグランド導体３の間の特性インピーダンスは、それ以外の領域の特性インピーダンスよりも小さな値となる。これにより、放射導体２の長手方向の長さを短くすることが可能となる。また、図１１（ｂ）に示すように、アンテナ装置を上面のほぼ一面にグランド導体が形成された高周波基板１６の上に実装した場合に、アンテナ装置の下部にも高周波部品１７を配置することが可能となり、高周波部品の実装スペースを拡張することができるため、通信機器の小型化を実現することができる。
【００４７】
（実施の形態１２）
本発明の実施の形態１２について、図１２（ａ），（ｂ）を参照して説明する。図１２（ａ）のアンテナ装置は、実施の形態１１のアンテナ装置に対して、基体１の下面側が凹形状となったものであり、この凹形状において、高周波基板１６に実装する時に、高周波基板１６の表面と接する面の大部分にグランド導体３が形成され、それ以外の基体１の底部にはグランド導体が形成されていない形状となっている。このアンテナ装置を図１２（ｂ）に示すように、上面のほぼ一面にグランド導体が形成された高周波基板１６の上に実装した場合、放射導体２と高周波基板１６の上面のグランド導体の間において、基体１の長手方向端部から電気長でλ／８の位置までの領域は基体１のみが充填されているが、それ以外の領域においては基体１のみでなく、一部空気にて構成されるため、この領域の放射導体２とグランド導体３の間の特性インピーダンスがそれ以外の領域の特性インピーダンスよりも大きくなるため、放射導体２を小型化することが可能となる。更に、空気の領域における高周波基板１６上にも高周波回路部品１７を実装することが可能となり、実装スペースの拡張を図ることができ、結果、通信機器の小型化、軽量化を図ることができる。
【００４８】
【発明の効果】
以上のように本発明によれば、小型で高利得を実現できるアンテナ装置を実現することが可能となる。
【図面の簡単な説明】
【図１】（ａ）本発明の実施の形態１によるアンテナ装置の斜視図
（ｂ）本発明の実施の形態１によるアンテナ装置のＶＳＷＲ特性図
（ｃ）本発明の実施の形態１によるアンテナ装置のインピーダンス特性図
【図２】本発明の実施の形態２によるアンテナ装置の斜視図
【図３】本発明の実施の形態３によるアンテナ装置の斜視図
【図４】本発明の実施の形態４によるアンテナ装置の斜視図
【図５】本発明の実施の形態５によるアンテナ装置の斜視図
【図６】本発明の実施の形態６によるアンテナ装置の斜視図
【図７】本発明の実施の形態７によるアンテナ装置の斜視図
【図８】本発明の実施の形態８によるアンテナ装置の斜視図
【図９】本発明の実施の形態９によるアンテナ装置の斜視図
【図１０】本発明の実施の形態１０によるアンテナ装置の斜視図
【図１１】（ａ）本発明の実施の形態１１によるアンテナ装置の斜視図
（ｂ）同アンテナ装置を高周波基板に実装した状態を示す斜視図
【図１２】（ａ）本発明の実施の形態１２によるアンテナ装置の斜視図
（ｂ）同アンテナ装置を高周波基板に実装した状態を示す斜視図
【図１３】（ａ）従来のアンテナ装置の側面図
（ｂ）従来のアンテナ装置の正面図
【符号の説明】
１　基体
２　放射導体
３　グランド導体
４　給電用導体
５　第１のギャップ
６　第２のギャップ
７　第３のギャップ
８　結合用導体
９　インターディジタル構造導体
１０　メアンダ形状導体
１１　第１の共振周波数
１２　第２の共振周波数
１３　第１のインピーダンス特性
１４　第２のインピーダンス特性
１５　スリット
１６　高周波基板
【図１】
2004080736.tif 000003
【図２】
2004080736.tif 000004
【図３】
2004080736.tif 000005
【図４】
2004080736.tif 000006
【図５】
2004080736.tif 000007
【図６】
2004080736.tif 000008
【図７】
2004080736.tif 000009
【図８】
2004080736.tif 000010
【図９】
2004080736.tif 000011
【図１０】
2004080736.tif 000012
【図１１】
2004080736.tif 000013
【図１２】
2004080736.tif 000014
【図１３】
2004080736.tif 000015